(57)【要約】      （修正有）【課題】病室に足を運ばなくても入院患者の様子を確認できるナースコールシステムを提供する。【解決手段】看護師用携帯電話９の巡視開始ボタン５１ａをタッチすると、制御機は、巡視先となる入院患者およびそのベッドサイドモニタを特定し、巡視先となる入院患者のベッドサイドモニタに、巡視開始信号を送信する。ベッドサイドモニタは、巡視開始信号を受信すると、操作部に許可ボタンを表示する。入院患者により許可ボタンがタッチされた場合、カメラ起動許可信号がベッドサイドモニタから制御機に送信される。制御機は、カメラ起動許可信号を受信すると、巡視先となる入院患者に関連づけられている病室カメラを起動させ、病室カメラにより撮像された画像を巡視開始操作が行われた看護師用携帯電話９に送信する制御を実行する。【選択図】図８
2019162241.tif 000002
【特許請求の範囲】
【請求項１】
入院患者が看護師を呼ぶために病室のベッド毎に備えられたナースコール子機と、
前記ナースコール子機からの呼び出しに応答するためにナースステーションに設置されたナースコール親機と、
前記ナースコール子機が接続され、病室内のベッド近傍に設置されるプレート子機と、
病室のベッド毎に備えられて患者関連情報を表示可能なベッドサイドモニタと、
前記ナースコール子機からの呼び出しに応答するために看護師が携行する複数の看護師用携帯電話と、
ベッド上の入院患者を撮像できる病室カメラと、
機器間の通話および通信を制御する制御装置と、
を備えたナースコールシステムであって、
前記ナースコール親機または前記看護師用携帯電話の少なくとも一方には、看護師が巡視を開始するための巡視開始手段が設けられており、
前記制御装置は、前記巡視開始手段が設けられているいずれかの機器からの巡視開始操作を受けて、巡視先に登録されている入院患者と関連付けられている前記病室カメラを起動し、前記巡視開始操作が行われた機器に前記病室カメラにより撮像された画像を送信する制御を実行する、
ナースコールシステム。
【請求項２】
前記巡視開始操作が行われたことにより前記病室カメラが起動している場合、前記巡視開始手段が設けられているいずれかの機器は、前記病室カメラ、前記ナースコール子機、前記プレート子機または前記ベッドサイドモニタのうちのいずれか一つの機器と通話できる構成となっている、
請求項１記載のナースコールシステム。
【請求項３】
前記巡視開始手段が設けられているいずれかの機器から巡視開始操作が行われた場合、前記制御装置は、前記病室カメラを起動して撮像を開始させる前に、前記病室カメラ、前記ナースコール子機、前記プレート子機または前記ベッドサイドモニタのうちのいずれか一つの機器に、前記入院患者に巡視が開始されることを報知させる制御を実行する、
請求項１または２記載のナースコールシステム。
【請求項４】
前記病室カメラ、前記ナースコール子機、前記プレート子機または前記ベッドサイドモニタのうちのいずれか一つの機器は、前記巡視開始操作に伴う病室カメラの起動を許可する巡視許可手段を備えており、
前記制御装置は、前記巡視許可手段を備えているいずれか一つの機器から前記報知を受けた前記入院患者により巡視許可操作が行われた場合に、前記病室カメラを起動する制御を実行する、
請求項３記載のナースコールシステム。
【請求項５】
前記入院患者のバイタル情報を取得するバイタル情報取得手段と、
前記バイタル情報取得手段により取得したバイタル情報から入院患者が睡眠中かどうか判断する状態判断手段とをさらに有しており、
前記制御装置は、前記状態判断手段が前記入院患者が睡眠中であると判断した場合、前記入院患者により前記巡視許可操作が行われなくても前記病室カメラを起動する制御を実行する、  請求項４記載のナースコールシステム。
【請求項６】
前記制御装置は、所定の時間帯には、前記入院患者により前記巡視許可操作が行われなくても前記病室カメラを起動する制御を実行する、
請求項４または５記載のナースコールシステム。
【発明の詳細な説明】
【技術分野】
【０００１】
本発明は、ナースコールシステムに関する。
【背景技術】
【０００２】
従来より、個々のベッドに設置されたナースコール子機から呼び出しが成されたら、ナースステーションに設置されたナースコール親機等に通知されるナースコールシステムが普及している。このようなナースコールシステムでは、呼び出されたナースコール親機等において呼出元のベッド番号や患者氏名が表示部に表示され、看護師はその表示により呼出元を認識して応答することができる。
一方、看護師は、ナースコール子機からの呼び出しに応答できる看護師用携帯電話を携行して、自分の担当する入院患者の病室を定期的に巡回している。
【先行技術文献】
【特許文献】
【０００３】
【特許文献１】特開２０１４−０８７５２４号公報
【発明の概要】
【発明が解決しようとする課題】
【０００４】
しかしながら、自分の担当する入院患者の数が多い場合、巡回を終えるにはかなりの時間を要する場合もあり、一日に何度も行う必要がある巡回業務は、看護業務の負担となっている。
【０００５】
本発明は、このような問題点に鑑みてなされたものであり、病室に足を運ばなくても入院患者の様子を確認できるナースコールシステムを提供することを課題とする。
【課題を解決するための手段】
【０００６】
上記課題を解決するために、本願発明者は、以下のようなナースコールシステムを提案する。
【０００７】
本発明のナースコールシステムは、入院患者が看護師を呼ぶために病室のベッド毎に備えられたナースコール子機と、ナースコール子機からの呼び出しに応答するためにナースステーションに設置されたナースコール親機と、ナースコール子機が接続され、病室内のベッド近傍に設置されるプレート子機と、病室のベッド毎に備えられて患者関連情報を表示可能なベッドサイドモニタと、ナースコール子機からの呼び出しに応答するために看護師が携行する複数の看護師用携帯電話と、ベッド上の入院患者を撮像できる病室カメラと、機器間の通話および通信を制御する制御装置と、を備えている。このナースコールシステムは、ナースコール親機または看護師用携帯電話の少なくとも一方には、看護師が巡視を開始するための巡視開始手段が設けられており、制御装置は、巡視開始手段が設けられているいずれかの機器からの巡視開始操作を受けて、巡視先に登録されている入院患者と関連付けられている病室カメラを起動し、巡視開始操作が行われた機器に病室カメラにより撮像された画像を送信する制御を実行する。
このような構成のナースコールシステムによれば、看護師等が巡視開始手段が設けられているナースコール親機または看護師用携帯電話から巡視開始操作を行うことにより病室カメラが起動し、病室カメラにより撮像された画像が巡視開始操作が行われたナースコール親機または看護師用携帯電話に送信される。そして、巡視開始操作が行われたナースコール親機または看護師用携帯電話において病室カメラにより撮像された画像を確認することにより入院患者の様子を確認することができるので、看護師が担当する入院患者の病室に一日に何度も訪れる必要性を低減することができ、看護業務の負担を軽減することができる。
【０００８】
巡視開始操作が行われたことにより病室カメラが起動している場合、巡視開始手段が設けられているいずれかの機器は、病室カメラ、ナースコール子機、プレート子機またはベッドサイドモニタのうちのいずれか一つの機器と通話できる構成としてもよい。
このような構成のナースコールシステムによれば、看護師はナースコール親機または看護師用携帯電話において入院患者の様子を確認しながら入院患者と会話することができるため、体調の確認等をすることができ、入院患者の状態をより把握することができる。
【０００９】
巡視開始手段が設けられているいずれかの機器から巡視開始操作が行われた場合、制御装置は、病室カメラを起動して撮像を開始させる前に、病室カメラ、ナースコール子機、プレート子機またはベッドサイドモニタのうちのいずれか一つの機器に、入院患者に巡視が開始されることを報知させる制御を実行してもよい。
このような構成のナースコールシステムによれば、これから病室カメラを使用した巡視が開始することを入院患者に報知することができるため、入院患者のプライバシーの向上を図ることができる。
【００１０】
病室カメラ、ナースコール子機、プレート子機またはベッドサイドモニタのうちのいずれか一つの機器は、巡視開始操作に伴う病室カメラの起動を許可する巡視許可手段を備えており、制御装置は、巡視許可手段を備えているいずれか一つの機器から報知を受けた入院患者により巡視許可操作が行われた場合に、病室カメラを起動する制御を実行する構成としてもよい。
このような構成のナースコールシステムによれば、入院患者により巡視許可操作が行われた場合に病室カメラが起動するので、入院患者のプライバシーのさらなる向上を図ることができる。
【００１１】
入院患者のバイタル情報を取得するバイタル情報取得手段と、バイタル情報取得手段により取得したバイタル情報から入院患者が睡眠中かどうか判断する状態判断手段とをさらに有しており、制御装置は、状態判断手段が入院患者が睡眠中であると判断した場合、入院患者により巡視許可操作が行われなくても病室カメラを起動する制御を実行する構成としてもよい。
このような構成のナースコールシステムによれば、入院患者が睡眠中である場合にスムーズに巡視を行うことができる。
【００１２】
また、制御装置は、所定の時間帯には、入院患者により巡視許可操作が行われなくても病室カメラを起動する制御を実行する構成としてもよい。
なお、所定の時間帯は、設定によりどのような時間帯としてもよいが、消灯が行われてから朝までの時間帯、例えば２２時から7時とすることができる。このような構成のナースコールシステムによれば、ほとんどの入院患者が睡眠中であると考えられる時間帯の巡視をスムーズに行うことができる。
【発明の効果】
【００１３】
本発明によれば、病室に足を運ばなくても入院患者の様子を確認できるナースコールシステムを提供することができる。
【図面の簡単な説明】
【００１４】
【図１】ナースコールシステムＡの全体構成を示す図。
【図２】ナースコールシステムＡのナースコール子機１およびプレート子機２を示す図。
【図３】ナースコールシステムＡのプレート子機２の構成を示す機能ブロック図。
【図４】ナースコールシステムＡのベッドサイドモニタ３の構成を示す機能ブロック図。
【図５】ナースコールシステムＡの廊下灯６の構成を示す機能ブロック図。
【図６】ナースコールシステムＡのナースコール親機７の構成を示す機能ブロック図。
【図７】ナースコールシステムＡの制御機８の構成を示す機能ブロック図。
【図８】看護師用携帯電話９の表示画面を示す図。
【図９】ベッドサイドモニタ３のモニタ３１の表示画面を示す図。
【図１０】看護師用携帯電話９の表示画面を示す図。
【図１１】看護師用携帯電話９の表示画面を示す図。
【発明を実施するための形態】
【００１５】
以下、本発明のナースコールシステムの好ましい実施形態を、図面を参照しながら詳細に説明する。
【００１６】
図１は、本発明の実施形態に係るナースコールシステムＡの構成図である。   
この図に示すように、ナースコールシステムＡは、入院患者が看護師を呼び出すために病室のベッド毎に備えられたナースコール子機１と、このナースコール子機１が接続され、病室内のベッド近傍の壁面に設置されるプレート子機２と、病室のベッド毎に備えられて患者関連情報を表示可能なベッドサイドモニタ３と、病室の扉に設けられた電子錠４と、ベッド上の入院患者を撮像できる病室カメラ５と、病室近傍の廊下壁面に設置される廊下灯６と、ナースコール子機１からの呼び出しに応答するためにナースステーションに設置されたナースコール親機７と、ナースコール子機１、病室カメラ５、廊下灯６、ナースコール親機７等の各機器を制御する制御機８と、看護師が携行する看護師用携帯電話９と、入院患者が所持する入院患者用携帯電話１０とを備えている。
また、このナースコールシステムＡは、 制御機８に接続され、看護師用携帯電話９または入院患者用携帯電話１０との通信を管理する交換機（以下、ＩＰ−ＰＢＸとする。）１１と、看護師用携帯電話９または入院患者用携帯電話１０とＩＰ−ＰＢＸ１１との間で無線通信を行う基地局１２と、入院患者の各種データが蓄積されたナースコールサーバ１３と、看護師の位置情報を管理する位置管理サーバ１４と、共用部に設置される共用部カメラ１５と、ＩＭＥＳ（Indoor Messaging System）送信機１６を備えている。
【００１７】
ナースコール子機１が接続されたプレート子機２は、伝送線を介して廊下灯６に接続されており、ベッドサイドモニタ３、電子錠４、病室カメラ５、廊下灯６、ナースコール親機７、制御機８、ＩＰ−ＰＢＸ１１、ナースコールサーバ１３、位置管理サーバ１４、および共用部カメラ１５は、それぞれＨＵＢ１７を介して、病院内に配設されたＬＡＮ１８に接続されている。
また、ＩＰ−ＰＢＸ１１は、伝送線を介して基地局１２と接続されている。
基地局１２は、施設内の複数の箇所に適宜設定されている。
【００１８】
ナースコール子機１は、図２に示すように、看護師を呼び出すための呼出ボタン１ａを有しており、プレート子機２に接続されている。
【００１９】
プレート子機２は、図３に示すように、ナースコール子機１と接続されるナースコール子機接続部２１、通話するためのマイク２２およびスピーカ２３、音声信号を処理する子機音声処理部２４、プレート子機２を制御する子機ＣＰＵ２５、廊下灯６と通信する子機通信ＩＦ２６、および報知動作等を停止できる復旧ボタン２７を有している。
【００２０】
ベッドサイドモニタ３は、入院患者のバイタル情報を測定するバイタル情報取得手段としてのバイタル測定機器（図示しない）と接続されており、図４に示すように、各種情報を表示するモニタ３１、モニタ３１に表示する映像を処理するサイドモニタ映像処理部３２、各種操作をするタッチパネルから成る操作部３３、通話するためのマイク３４およびスピーカ３５、音声信号を処理するサイドモニタ音声処理部３６、ベッドサイドモニタ３を制御するサイドモニタＣＰＵ３７、制御機８と通信するサイドモニタ第１通信ＩＦ３８、報知動作等を停止させたり液晶表示をオン／オフ操作できる復旧ボタン３９、バイタル測定機器と通信するサイドモニタ第２通信ＩＦ４０、および制御機８から巡視開始信号を受信した際にあらかじめ設定された所定の時間帯であるか判断したり、バイタル測定機器により取得したバイタル情報から入院患者が睡眠中かどうか判断する状態判断部４９を有している。
なお、本実施形態では、状態判断部４９には、消灯が行われてから朝までの時間帯（例えば２２時から７時）が所定の時間帯として設定されているものとする。
【００２１】
廊下灯６は、図５に示すように、入院患者からの呼出発生を発光表示する呼出表示灯４１、通話するためのマイク４２およびスピーカ４３、音声信号を処理する廊下灯音声処理部４４、廊下灯６を制御する廊下灯ＣＰＵ４５、ナースコール親機７等と通信するための廊下灯第１通信ＩＦ４６、報知動作を停止させるための復旧ボタン４７、およびプレート子機２と通信するための廊下灯第２通信ＩＦ４８を有している。
【００２２】
ナースコール親機７は、図６に示すように、ナースコール子機１からの呼び出しに応答するためのハンドセット６１、警報音等を報音するスピーカ６２、音声信号を処理すると共に警報音を処理する親機音声処理部６３、各種情報を表示する親機モニタ６４、親機モニタ６４に表示する映像を処理する親機映像処理部６５、各種操作をするタッチパネルから成る操作部６６、ナースコール親機７全体を制御する親機ＣＰＵ６７、制御機８等の他の機器と通信する親機通信ＩＦ６８、および各種情報を記憶する情報記憶部６９を有している。
【００２３】
制御機８は、図７に示すように、看護師とその看護師が携行する看護師用携帯電話９を関連づけた携帯電話／看護師関連テーブル７１、看護師と入院患者を関連づけた看護師／入院患者関連テーブル７２、各種情報を記憶する情報記憶部７３、制御機８を制御する制御機ＣＰＵ７４、および廊下灯６等の他の機器と通信する制御機通信ＩＦ７５を有している。 
情報記憶部７３は、患者関連情報を記憶する患者関連情報記憶部７３ａを備えている。
この患者関連情報記憶部７３ａには、入院患者の氏名や年齢等の患者情報、入院患者の看護区分や診療科目、担当医師等の看護情報、ナースコール子機１の子機ＩＤ、プレート子機ＩＤ、ベッドサイドモニタＩＤ、ベッド番号、病室カメラＩＤ、入院患者の検査、手術等のスケジュール情報、入院患者の所有する入院患者用携帯電話１０の携帯電話情報等が記憶されている。これらの情報は、ナースコール親機７を操作することにより入力される。
【００２４】
看護師用携帯電話９および入院患者用携帯電話１０は、携帯電話機能を備えた多機能型端末であり、例えばスマートフォンと称される機器に所定のアプリケーションソフトウェアをインストールして使用することができる。
看護師用携帯電話９は、ナースコール子機１からの呼び出しに応答したりすることができるものであればよい。
看護師用携帯電話９は、ＩＭＥＳ送信機１６と位置管理サーバ１４とともに位置特定システムを構成しており、看護師用携帯電話９には、ＧＰＳの衛星電波を受信して自身の位置を特定し、自身のＩＤを特定した位置情報に付加して発信する、図示しないＧＰＳ通信部が内蔵されているものが使用される。
図８に示すように、看護師用携帯電話９は、タッチパネルから成る表示部５１を備えており、看護師による所定の操作で、看護師が巡視を開始するための巡視開始ボタン５１ａが表示部５１に表示される。
【００２５】
ＩＭＥＳ送信機１６は、病棟内または病院内の適宜部位、例えば各病室、ナースステーション、手術室、待合室、談話室、廊下等の適宜位置に設置され、自身の位置情報をＧＰＳ電波と同じ電波形式の無線信号を使用して常時配信している。
そして、このＩＭＥＳ送信機１６のうち近くのＩＭＥＳ送信機１６が配信する位置情報を、看護師用携帯電話９に内蔵されているＧＰＳ通信部が受信して自身の位置を把握し、ＩＤを付加して把握した位置情報を定期的に位置管理サーバ１４に送信する。看護師用携帯電話９が送信する位置情報は、通常の通話信号の場合と同様に基地局１２が受信し、交換機１１、ＬＡＮ１８を介して位置管理サーバ１４に伝送されて保存される。こうして、看護師用携帯電話９の現在位置を把握する位置特定システムを構築することができる。
ナースコール子機１から看護師の呼び出しがあった場合、制御機８は、位置管理サーバ１４に、携帯電話／看護師関連テーブル７１、看護師／入院患者関連テーブル７２を参照して、呼び出しをした入院患者と関連づけられている看護師の中のうち、入院患者のナースコール子機１の場所に近い看護師を選択させて、その看護師の看護師用携帯電話９に呼び出しを通知する。
【００２６】
共用部カメラ１５は、病棟内または病院内の共用部、例えば各階の廊下、待合室、談話室等の共用部に適宜設けられている。この共用部カメラ１５や病室カメラ５により撮像された画像は、ナースコール親機７の操作部６６を操作することにより、適宜親機モニタ６４に表示できるように構成されている。
【００２７】
以上のように構成されたナースコールシステムＡの動作を以下に説明する。
ただし、ナースコール子機１からの看護師の呼び出し、呼び出しを受けたナースコール親機７や看護師用携帯電話９の報音動作、ナースコール親機７または看護師用携帯電話９による応答操作は従来と同様であるため説明を省略し、ここでは看護師が看護師用携帯電話９から巡視開始操作を行った場合の動作について説明する。
なお、本実施形態では、バイタル測定機器による入院患者のバイタル情報の測定は常時行われているものとする。
【００２８】
巡視を開始しようとする看護師が看護師用携帯電話９の巡視開始ボタン５１ａをタッチすると、制御機８は、携帯電話／看護師関連テーブル７１、看護師／入院患者関連テーブル７２および患者関連情報記憶部７３ａを参照して、巡視先となる入院患者およびその入院患者のベッドサイドモニタ３を特定し、巡視先となる入院患者のベッドサイドモニタ３に、これから巡視が開始されることを示す巡視開始信号を送信する。
なお、巡視先となる入院患者が複数である場合、本実施形態では、制御機８により選択された一人の入院患者のベッドサイドモニタ３に巡視開始信号が送信されるものとして説明するが、制御機８による制御のもと、巡視先となる複数の入院患者を看護師用携帯電話９に表示し、巡視先となる入院患者の選択を看護師が看護師用携帯電話９により行える構成としてもよい。この場合、看護師用携帯電話９により選択された入院患者のベッドサイドモニタ３に巡視開始信号が送信されることとなる。
【００２９】
ベッドサイドモニタ３は、巡視開始信号を受信すると、サイドモニタＣＰＵ３７の制御のもと、状態判断部４９によりあらかじめ設定された所定の時間帯であるかが判断される。
所定の時間帯ではない場合、状態判断部４９により、バイタル測定機器により測定されたバイタル情報から入院患者が睡眠中かどうか判断される。
【００３０】
状態判断部４９により入院患者が睡眠中ではないと判断された場合、サイドモニタＣＰＵ３７の制御のもと、図９に示すように「病室カメラによる巡視が開始されます。巡視の開始を許可してください。」等の、巡視の開始に伴う病室カメラ５の起動の許可を促すメッセージがモニタ３１に表示されるとともにスピーカ３５から同じ内容の音声メッセージが流される。また、サイドモニタＣＰＵ３７の制御のもと、図示しないタイマが立ち上げられ、操作部３３に、病室カメラ５の起動を許可するための許可ボタン３３ａが表示される。
なお、このような巡視の開始に伴う病室カメラ５の起動の許可を促す報知は、通知音とともにメッセージをモニタ３１に表示する構成としてもよいし、音声メッセージのみにより行う構成としてもよい。
【００３１】
あらかじめ設定された時間内に、入院患者により許可ボタン３３ａがタッチされた場合、サイドモニタＣＰＵ３７の制御のもと、カメラ起動許可信号がベッドサイドモニタ３から制御機８に送信される。
制御機８は、カメラ起動許可信号を受信すると、患者関連情報記憶部７３ａを参照して巡視先となる入院患者に関連づけられている病室カメラ５を特定するとともに、特定した病室カメラ５を起動させ、病室カメラ５により撮像された画像を所定の入院患者情報（例えば入院患者の氏名、部屋番号、ベッド番号、看護情報、担当医師など）とともに巡視開始操作が行われた看護師用携帯電話９に送信する制御を実行する。
これにより、図１０に示すように、巡視開始操作が行われた看護師用携帯電話９の表示部５１には、病室カメラ５により撮像された画像が所定の入院患者情報とともに表示される。
このような構成のナースコールシステムＡによれば、看護師は、病室カメラ５により撮像された画像を看護師用携帯電話９で確認することにより入院患者の様子を確認することができるので、入院患者の様子を確認するために担当する入院患者の病室に一日に何度も訪れる必要性を低減することができ、看護業務の負担を軽減することができる。
また、操作部３３に許可ボタン３３ａが表示される場合には、入院患者により巡視許可操作が行われたときに病室カメラ５が起動するので、入院患者のプライバシーの向上を図ることができる。
【００３２】
制御機８はまた、巡視開始操作が行われたことにより病室カメラ５を起動させた場合、巡視開始操作が行われた看護師用携帯電話９と入院患者のベッドサイドモニタ３との間の通話状態を確立する制御を実行する。
このような構成のナースコールシステムＡによれば、看護師は看護師用携帯電話９で入院患者の様子を確認しながら入院患者と会話することができるため、体調の確認等をすることができ、入院患者の状態をより把握することができる。
【００３３】
看護師は、看護師用携帯電話９を通じて該入院患者の様子を確認し終わった場合、図１０に示す看護師用携帯電話９の表示部５１の巡視終了ボタン５１ｂをタッチする。
巡視終了ボタン５１ｂがタッチされると、制御機８は、該入院患者に関連づけられた病室カメラ５を停止させ、巡視開始操作が行われた看護師用携帯電話９と入院患者のベッドサイドモニタ３との間で確立されている通話状態を終了させる。
また、巡視先となる入院患者が他にいる場合には、まだ行われていない巡視先の入院患者のベッドサイドモニタ３に巡視開始信号を送信する。
巡視先となる入院患者が他にいない場合には、巡視は終了する。
【００３４】
一方、あらかじめ設定された時間内に、入院患者により許可ボタン３３ａがタッチされなかった場合、制御機８は、病室カメラ５を起動させることなく該入院患者の巡視を停止する。そして、巡視先となる入院患者が他にいる場合にはまだ行われていない巡視先の入院患者のベッドサイドモニタ３に巡視開始信号を送信する。
なお、入院患者により許可ボタン３３ａがタッチされなかった場合、制御機８は、他の巡視先の入院患者の巡視が終了した後に該入院患者のベッドサイドモニタ３に巡視開始信号を送信する制御を実行するように構成してもよいし、看護師用携帯電話９の表示部５１に巡視が終了していない入院患者情報が表示される制御を実行するように構成してもよい。
【００３５】
状態判断部４９により入院患者が睡眠中であると判断された場合には、サイドモニタＣＰＵ３７の制御のもと、カメラ起動許可信号がベッドサイドモニタ３から制御機８に送信され、入院患者により巡視許可操作が行われなくても制御機８により病室カメラ５を起動する制御が実行され、上述のように、巡視が開始される。
このような構成のナースコールシステムＡによれば、入院患者が睡眠中である場合にスムーズに巡視を行うことができる。
【００３６】
状態判断部４９により現在あらかじめ設定された所定の時間帯であると判断された場合にも、サイドモニタＣＰＵ３７の制御のもと、カメラ起動許可信号がベッドサイドモニタ３から制御機８に送信され、入院患者により巡視許可操作が行われなくても制御機８により病室カメラ５を起動する制御を実行され、上述のように、巡視が開始される。
このような構成のナースコールシステムＡによれば、ほとんどの入院患者が睡眠中であると考えられる時間帯の巡視をスムーズに行うことができる。
【００３７】
なお、看護師は、諸事情により途中で巡視を中断したい場合、図１０に示す看護師用携帯電話９の表示部５１の巡視中断ボタン５１ｃをタッチする。
巡視中断ボタン５１ｃがタッチされると、制御機８は、病室カメラ５を起動している場合には病室カメラ５を停止させ、看護師用携帯電話９と入院患者のベッドサイドモニタ３との間で確立されている通話状態を終了させる。また、巡視先となる入院患者が他にいる場合でも、まだ行われていない巡視先の入院患者のベッドサイドモニタ３に巡視開始信号を送信しない。
また、巡視中断ボタン５１ｃがタッチされると、図１１に示すように、看護師用携帯電話９の表示部５１には巡視再開ボタン５１ｄが表示される。
看護師は、この巡視再開ボタン５１ｄをタッチすることで巡視を再開することができる。すなわち、巡視再開ボタン５１ｄがタッチされると、制御機８は、まだ行われていない巡視先の入院患者のベッドサイドモニタ３に巡視開始信号を送信する。
【００３８】
以上の本実施形態のナースコールシステムＡは、看護師用携帯電話９から巡視が開始される構成となっているものとして説明したが、巡視開始ボタン等の巡視開始手段を備える看護師用携帯電話９またはナースコール親機７の少なくとも一方から巡視が開始される構成となっていればよい。
【００３９】
また、本実施形態のナースコールシステムＡは、ベッドサイドモニタ３が巡視開始操作に伴う病室カメラ５の起動を許可する巡視許可手段を備えているものとして説明したが、ベッドサイドモニタ３ではなく、入院患者の病室カメラ５、ナースコール子機１またはプレート子機２が巡視許可手段を備える構成としてもよい。また、本実施形態のナースコールシステムＡでは、巡視許可手段が操作部３３に表示される許可ボタン３３ａであるものとして説明したが、音声により許可する構成としてもよい。
【００４０】
一方、このような巡視許可手段を備えていない構成としてもよく、看護師用携帯電話９またはナースコール親機７から巡視開始操作が行われた場合、制御機８が、病室カメラ５を起動させて撮像を開始させる前に、病室カメラ５、ナースコール子機１、プレート子機２またはベッドサイドモニタ３のうちのいずれか一つの機器に、入院患者に巡視が開始されることを報知させる制御を実行する構成としてもよい。
この巡視開始の報知は、ノック音等の通知音により行う構成としてもよいし、「看護師による巡視が開始されます。病室カメラが起動します。」等の音声メッセージによって行われてもよい。また、これらとともにメッセージをモニタ３１に表示する構成としてもよいし、文字メッセージのみにより行う構成としてもよい。
このように、制御機８が、病室カメラ５を起動して撮像を開始させる前に、病室カメラ５、ナースコール子機１、プレート子機２またはベッドサイドモニタ３のうちのいずれか一つの機器に、入院患者に巡視が開始されることを報知させる制御を実行する構成のナースコールシステムとすれば、これから病室カメラ５を使用した巡視が開始することを入院患者に報知することができるため、入院患者のプライバシーの向上を図ることができる。
【００４１】
一方、制御機８が、巡視開始ボタン等の巡視開始手段が設けられている看護師用携帯電話９またはナースコール親機７のいずれかの機器からの巡視開始操作を受けると、入院患者に報知することなく、巡視先に登録されている入院患者と関連付けられている病室カメラ５を起動する制御を実行する構成とすることもできる。
【００４２】
また、本実施形態のナースコールシステムＡの制御機８は、巡視開始操作が行われたことにより病室カメラ５を起動させた場合、巡視開始操作が行われた看護師用携帯電話９と入院患者のベッドサイドモニタ３との通話状態を確立する構成となっているが、ベッドサイドモニタ３ではなく、入院患者の病室カメラ５、ナースコール子機１またはプレート子機２との通話状態を確立する構成としてもよい。ナースコール子機１と通話状態を確立する構成とする場合には、ナースコール子機１がマイクおよびスピーカを備える必要がある。病室カメラ５と通話状態を確立する構成とする場合も同様である。
一方、巡視開始操作が行われたことにより病室カメラ５を起動させた場合、巡視開始操作が行われた看護師用携帯電話９とこれらの機器との間の通話状態が確立されない構成としてもよい。
【００４３】
また、本実施形態のナースコールシステムＡは、ベッドサイドモニタ３が入院患者のバイタル情報を測定するためのバイタル測定機器と接続されており、制御機８から巡視開始信号を受信した際に所定の時間帯であるか、入院患者が睡眠中かどうかを状態判断部４９が判断する構成となっているが、制御機８が所定の時間帯であるかを判断する構成としてもよい。
【００４４】
また、状態判断部４９を有しない構成としてもよい。具体的には、バイタル測定機器を備えず、入院患者のバイタル測定を行わない構成としてもよい。すなわち、ベッドサイドモニタ３はバイタル測定機器と接続されず、状態判断部４９により入院患者が睡眠中であるか判断しない構成としてもよいし、制御機８から巡視開始信号を受信した際に現在あらかじめ設定された所定の時間帯であるか判断しない構成としてもよい。
【００４５】
また、本実施形態のナースコールシステムＡでは、制御機８が携帯電話／看護師関連テーブル７１および看護師／入院患者関連テーブル７２を有するものとして記載したが、ナースコール親機７、位置管理サーバ１４または別の記録装置がこれらのうちのいずれかを有していてもよい。
【００４６】
以上のように、本発明のナースコールシステムは、制御機８が、巡視開始ボタン等の巡視開始手段が設けられている看護師用携帯電話９またはナースコール親機７のいずれかの機器からの巡視開始操作を受けて、巡視先に登録されている入院患者と関連付けられている病室カメラ５を起動し、巡視開始操作が行われた看護師用携帯電話９またはナースコール親機７に病室カメラ５により撮像された画像を送信する制御を実行する構成となっていればよく、その他はどのように構成されていてもよい。位置特定システムや電気錠４、入院患者用携帯電話１０を有しないナースコールシステムとしてもよい。
【符号の説明】
【００４７】
Ａ・・ナースコールシステム、１・・ナースコール子機、２・・プレート子機、３・・ベッドサイドモニタ、４・・電子錠、５・・病室カメラ、６・・廊下灯、７・・ナースコール親機、８・・制御機（制御装置）、９・・看護師用携帯電話、１０・・入院患者用携帯電話、１１・・交換機、１２・・基地局、１３・・ナースコールサーバ、１４・・位置管理サーバ、１５・・共用部カメラ、１６・・ＩＭＥＳ送信機、１７・・ＨＵＢ、１８・・ＬＡＮ、２１・・ナースコール子機接続部、２２、３４、４２・・マイク、２３、３５、４３・・スピーカ、２４・・子機音声処理部、２５・・子機ＣＰＵ、２６・・子機通信ＩＦ、２７、３９、４７・・復旧ボタン、３１・・モニタ、３２・・サイドモニタ映像処理部、３３・・操作部、３３ａ・・許可ボタン（巡視許可手段）３６・・サイドモニタ音声処理部、３７・・サイドモニタＣＰＵ、３８・・サイドモニタ第１通信ＩＦ、４０・・サイドモニタ第２通信ＩＦ、４１・・呼出表示灯、４４・・廊下灯音声処理部、４５・・廊下灯ＣＰＵ、４６・・廊下灯第１通信ＩＦ、４８・・廊下灯第２通信ＩＦ、４９・・状態判断部（状態判断手段）、６１・・ハンドセット、６２・・スピーカ、６３・・親機音声処理部、６４・・親機モニタ、６５・・親機映像処理部、６６・・操作部、６７・・親機ＣＰＵ、６８・・親機通信ＩＦ、６９・・情報記憶部、７１・・携帯電話／看護師関連テーブル、７２・・看護師／入院患者関連テーブル、７３・・情報記憶部、７３ａ・・患者関連情報記憶部、７４・・制御機ＣＰＵ、７５・・制御機通信ＩＦ
【図１】
2019162241.tif 000003
【図２】
2019162241.tif 000004
【図３】
2019162241.tif 000005
【図４】
2019162241.tif 000006
【図５】
2019162241.tif 000007
【図６】
2019162241.tif 000008
【図７】
2019162241.tif 000009
【図８】
2019162241.tif 000010
【図９】
2019162241.tif 000011
【図１０】
2019162241.tif 000012
【図１１】
2019162241.tif 000013